【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
ウェブが、膨張ノズルによる連続した膨張のためにロールから分配される際の、膨張ノズルに対する膨張可能ウェブの動的な位置合わせのためのシステムであって、膨張可能ウェブは、ノズルから膨張流体を受け取るために、横方向のシールの終端部の間に、かつウェブの長手方向の縁部に近接して開口を有する一連の膨張可能チャンバを画定するために、横方向のシールによって合わせて密閉される、頂部シートと底部シートとを含み、
膨張可能ウェブがロールから引き出される際、ロールがスプールの周りで回転するように、ロールを支持するように適合されたスプールと、
スプールの長さに沿ってロールの位置を調節するように構成された作動装置と、
ウェブが膨張ノズルを過ぎて進行の経路に沿って進む際、膨張可能チャンバの開口の中に膨張流体を提供するように適合された膨張ノズルと、
膨張ノズルに対する所与の位置で回転の中心に枢動式に設置されたセンサアームであって、接触部を有し、ウェブの横方向のシールの終端部がセンサアームの接触部に接触する際、回転の中心で枢動するように適合されたセンサアームと、センサアームの動きを検出し、センサアームの動きに関連して変動するアナログ信号を生成するように適合されたアナログセンサと、
を備える追跡センサと、
アナログ信号を受信し、このアナログ信号に基づいて出力を作動装置に送信し、スプール上のロールの位置を調節して、ウェブの横方向の位置を所定の範囲内に維持するように作動可能な制御装置と、
を備えるシステム。
【請求項２】
アナログセンサが、センサアームの枢動運動を検出する回転センサを備える、請求項１に記載のシステム。
【請求項３】
回転の中心が、回転の中心の対向する側で接触部と、後部との間でセンサアームの輪郭を描き、
センサアームが、ウェブの横方向のシールの終端部がセンサアームの接触部に接触する際、回転の中心で枢動することで、センサアームの後部を反対方向に移動させるように適合されており、
アナログセンサが、センサアームの後部の移動を検出し、後部の移動の大きさに関連して変動するアナログ信号を生成するように適合されている、
請求項１または２に記載のシステム。
【請求項４】
膨張可能ウェブを進行の経路に沿って機械の方向に進めるために、スプールから膨張可能ウェブを引き出すために、膨張ノズルから下流に駆動装置をさらに備える、請求項１から３のいずれか一項に記載のシステム。
【請求項５】
制御装置が、作動装置に出力を送信し、スプール上のロールの位置を調節して、ウェブの横方向の位置を膨張ノズルに対して所定の範囲内に維持するように作動可能である、請求項１から４のいずれか一項に記載のシステム。
【請求項６】
長手方向の縁部と、少なくとも２つのシートと、それらシートの間に形成された一連の膨張可能チャンバとを有する膨張可能ウェブを膨張させ密閉するための機械であって、膨張可能チャンバの各々は、特定の量の流体を中に保持することが可能であり、膨張時に流体を受け取るために長手方向の縁部に近接する開口を有し、
膨張可能ウェブを機械の方向に進めるための駆動装置と、
膨張可能ウェブが機械の方向に進められる際、膨張可能チャンバの開口内に流体を提供するように位置決めされ、これにより膨張可能チャンバを膨張させる膨張ノズルと、
膨張可能チャンバの膨張中に、膨張可能ウェブの長手方向の縁部を通って流体が逃げるのを制限するために、ウェブが機械の方向に進む際、シートを膨張可能ウェブの長手方向の縁部に沿って合わせて係合させるために、１つ以上の頂部係合ローラ、および１つ以上の頂部係合ローラと対向する１つ以上の底部係合ローラと、頂部および底部係合ローラの１つ以上を膨張可能ウェブに向かって付勢するための少なくとも１つのばねと、を備えるシート係合装置と、
を備える機械。
【請求項７】
１つ以上のばねが、頂部および底部係合ローラの各々の１つ以上を膨張可能ウェブに向かって付勢する、請求項６に記載の機械。
【請求項８】
膨張ノズルが、ウェブがシート係合装置を過ぎて進む際、シート係合装置と、ウェブの膨張チャンバとの間に延在する、請求項６から７のいずれか一項に記載の機械。
【請求項９】
１つ以上の頂部係合ローラが、第１の複数の係合ローラを備え、１つ以上の底部係合ローラが、第２の複数の係合ローラを備え、
第１または第２の複数の係合ローラのうちの１つ以上の各々の係合ローラは、係合ローラを進行の経路に向かって付勢するためにばねを備え、かつ
第１の複数の係合ローラは、第２の複数の係合ローラと噛み合い、これにより長手方向の縁部の寸法を機械の方向に縮小する、
請求項６から８のいずれか一項に記載の機械。
【請求項１０】
第１および第２の複数の係合ローラの各々の係合ローラが、係合ローラを進行の経路に向かって付勢するためにばねを備える、請求項９に記載の機械。
【請求項１１】
１つ以上の係合ローラが歯を備える、請求項６から１０のいずれか一項に記載の機械。
【請求項１２】
駆動装置が、１つ以上の係合ローラに回転式結合されることで、係合ローラが膨張可能ウェブを進行させる、請求項６から１１のいずれか一項に記載の機械。
【請求項１３】
伝達ローラをさらに備え、伝達ローラが、駆動装置を係合ローラのうちの１つ以上に回転式に接続する、請求項６から１２のいずれか一項に記載の機械。
【請求項１４】
係合ローラが膨張可能ウェブを進める速度が、駆動装置が膨張可能ウェブを進めようとする速度と異なる、請求項６から１３のいずれか一項に記載の機械。
【請求項１５】
係合ローラが膨張可能ウェブを進める速度が、駆動装置が膨張可能ウェブを進めようとする速度より遅い、請求項６から１４のいずれか一項に記載の機械。
【請求項１６】
その間で駆動装置が膨張可能ウェブを進める、係合組立体と対向する組立体とをさらに画定し、対向する組立体の少なくとも一部を偏位距離だけ係合組立体から移動させるように構成された解放機構を備える、請求項６から１５のいずれか一項に記載の機械。
【請求項１７】
解放機構が、偏位距離より短い中間偏位距離だけ膨張ノズルを係合組立体から移動させるようにさらに構成される、請求項１６に記載の機械。
【請求項１８】
膨張可能チャンバが流体によって膨張された後、膨張可能チャンバの閉鎖された開口を密閉するために、膨張ノズルに近接して配置された密閉装置をさらに備える、請求項６から１７のいずれか一項に記載の機械。
【請求項１９】
密閉装置が、係合組立体における密閉要素と、対向する組立体における少なくとも１つの裏当てローラとを備える、請求項１８に記載の機械。
【請求項２０】
ウェブが、膨張ノズルによる連続した膨張のために進行の経路に沿ってロールから分配される際、膨張可能ウェブの張力を制御するためのシステムであって、ロールは、内腔を画定する芯部と、内側面とを有し、システムは、
膨張可能ウェブをロールから引き出す際、ロールがスプールの周りを回転するように、ロールを支持するために、芯部の内腔に挿入されるように適合されたスプールと、
スプールによって支持されるブレーキシステムであって、
ブレーキパッドと、
ロールの回転に対して摩擦抵抗を加えるためにブレーキパッドを芯部の内側面に対して付勢する付勢要素と、を備えるブレーキシステムと、
を備え、動力源が、付勢要素の付勢の大きさを調節し、これによりブレーキパッドによって芯部の内側面に加えられる摩擦抵抗の大きさを調節するように制御可能に作動可能である
システム。
【請求項２１】
付勢要素が油圧式作動装置であり、動力源が油圧式ポンプである、請求項２０に記載のシステム。
【請求項２２】
付勢要素が空気圧式作動装置であり、動力源が圧縮機である、請求項２０に記載のシステム。
【請求項２３】
付勢要素が機械的作動装置であり、動力源がモータである、請求項２０に記載のシステム。
【請求項２４】
付勢要素が、ばねに係合する作動装置であって、ばねの圧縮力を調節するように構成された作動装置によって提供される付勢の大きさを調節可能なばねであり、
動力源が作動装置のモータである、
請求項２０に記載のシステム。
【請求項２５】
ブレーキパッドがスプールによって枢動式に支持される、請求項２０から２４のいずれか一項に記載のシステム。
【請求項２６】
ブレーキパッドが、ブレーキパッドの枢動側に近接して枢軸に沿って枢動式に支持されており、
付勢要素が、枢動側の反対の対向する側でブレーキパッドに接続される、
請求項２０から２５のいずれか一項に記載のシステム。
【請求項２７】
ブレーキパッドが、ブレーキパッドの枢動側に近接して枢軸に沿って枢動式に支持されており、
付勢要素が、ブレーキパッドの枢動側に近接してブレーキパッドに接続される、
請求項２０から２５のいずれか一項に記載のシステム。
【請求項２８】
作動装置が、本体と、ばねに係合するロッドとを備え、ロッドは、作動装置本体に対して伸張可能であることで、ロッドが作動装置本体から延出する距離に応じてばねの圧縮力を調節する、請求項２４に記載のシステム。
【請求項２９】
作動装置本体が、スプールによって支持され、かつスプールに対して静止している、請求項２８に記載のシステム。
【請求項３０】
ブレーキングシステムが、
作動装置本体から延出する１つ以上のガイド柱と、
ロッドおよびばねに接続された梁と
をさらに備え、
梁は１つ以上のガイド柱によって摺動式に支持され、かつ
ばねはブレーキパッドから梁まで延在する、
請求項２４および請求項２８から２９のいずれか一項に記載のシステム。
【請求項３１】
ばねが少なくとも２つのばねを備える、請求項２４および請求項２８から３０のいずれか一項に記載のシステム。
【請求項３２】
少なくとも２つのばねが、ブレーキパッドの互いに反対側の端部に接続される、請求項３１に記載のシステム。
【請求項３３】
ウェブにおける張力に関連して信号を提供するために、ロールの下流でウェブの進行の経路に隣接するウェブの張力測定装置と、
信号を受信し、信号に基づいて、制御可能に作動可能な動力源に出力を送信し、出力に応じて付勢要素の付勢を調節してウェブの張力を所定の範囲内に維持するように作動可能な制御装置と、
をさらに備える、請求項２０から３２のいずれか一項に記載のシステム。
【請求項３４】
ウェブの張力測定装置が、
（ｉ）ロールの下流でウェブの進行の経路に隣接し、かつロールの下流でウェブの進行の経路に対して横向きであり、（ｉｉ）ウェブがダンサーローラに接触する際、ウェブの進行の経路の方向を変えるように位置決めされ、かつ（ｉｉｉ）ウェブにおける張力の大きさに相関して移動するダンサーローラと、
ダンサーローラの移動を測定し、移動のレベルに応じて信号を提供するように適合されたセンサと、
を備える、請求項３３に記載のシステム。
【請求項３５】
ウェブの張力測定装置が、
ロールの下流でウェブの進行の経路に隣接し、かつロールの下流でウェブの進行の経路に対して横向きである張力アームであって、ウェブが張力アームと接触する際、ウェブの進行の経路の方向を変えるように位置決めされた張力アームと、
ウェブが張力アームの周りを進む際、ウェブによって張力アームに対して加えられる力のレベルに応じて信号を提供する力を感知する装置と、
を備える、請求項３３に記載のシステム。
【請求項３６】
付勢要素が、ばねに係合し且つばねの圧縮力を調節するように構成された作動装置によって提供される付勢の大きさを調節可能なばねであり、
動力源が作動装置のモータであり、かつ
作動装置は、制御装置からの出力に作動可能に応答して、作動装置本体に対してロッドを移動させることで、ばねの圧縮を調節する、
請求項３３から３５のいずれか一項に記載のシステム。
【請求項３７】
力を感知する装置が、力感知抵抗器、歪みゲージ、屈曲センサおよびベンドセンサのうちの１つ以上から選択される、請求項３５に記載のシステム。
【請求項３８】
ウェブが、膨張ノズルによる連続した膨張のためにロールから分配される際、膨張ノズルに対する膨張可能ウェブの位置合わせのためのシステムであって、膨張可能ウェブは、ノズルから膨張流体を受け取るために、横方向のシールの終端部の間に、かつウェブの長手方向の縁部に近接して開口を有する一連の膨張可能チャンバを画定するために、横方向のシールによって合わせて密閉される、頂部シートと底部シートとを含み、システムは、
膨張可能ウェブがロールから引き出される際、ロールを回転式に支持するように適合された支持体と、
ウェブが膨張ノズルを過ぎて進行の経路に沿って進む際、膨張可能チャンバの開口に膨張流体を提供するように適合された膨張ノズルであって、膨張ノズルは、ウェブが膨張ノズルを過ぎて進む際、膨張可能ウェブの横方向のシールの終端部に当接して係合するように可動式に付勢される係合部を備える、膨張ノズルと、
を備えるシステム。
【請求項３９】
ウェブが膨張ノズルを過ぎて進む際、膨張可能ウェブの横方向のシールの終端部に当接して係合するように膨張ノズルの係合部を付勢するためにばねをさらに備える、請求項３８に記載のシステム。
【請求項４０】
膨張ノズルの係合部が、膨張ノズルの出口端部に近接している、請求項３８から３９のいずれか一項に記載のシステム。
【請求項４１】
膨張ノズルが、膨張ノズルに隣接する膨張可能ウェブの進行の経路と同じ方向に膨張流体を提供するように適合される、請求項３８から４０のいずれか一項に記載のシステム。
【請求項４２】
膨張ノズルの係合部が、ウェブが膨張ノズルを過ぎて進む際、膨張可能ウェブの横方向のシールの終端部に当接して係合するように横向きに付勢される、請求項３８から４１のいずれか一項に記載のシステム。
【請求項４３】
膨張ノズルが、ウェブが膨張ノズルを過ぎて進む際、膨張ノズルの係合部が、横方向のシールの終端部の位置をたどる際、枢軸の周りで枢動する、請求項３８から４２のいずれか一項に記載のシステム。
【請求項４４】
枢軸の周りでの膨張ノズルの枢動運動を検出し、枢動の大きさに関連して変動する信号を生成するためのセンサをさらに備える、請求項４３に記載のシステム。
【請求項４５】
センサが回転センサである、請求項４４に記載のシステム。
【請求項４６】
支持体が、膨張可能ウェブがロールから引き出される際、ロールがスプールの周りを回転するように、ロールを支持するように適合されたスプールであり、システムが、
スプールの長さに沿ってロールの位置を調節するように構成された作動装置と、
センサから信号を受信し、信号に基づいて出力を作動装置に送信し、スプール上のロールの位置を調節して、膨張ノズルの係合部に対してウェブの横方向の位置を所定の範囲内に維持するように作動可能な制御装置と、
をさらに備える、請求項３８から４５のいずれか一項に記載のシステム。
【請求項４７】
膨張可能ウェブを進行の経路に沿って進めるために、スプールから膨張可能ウェブを引き出すために、膨張ノズルから下流に駆動装置をさらに備える、請求項３８から４６のいずれか一項に記載のシステム。
【請求項４８】
膨張可能チャンバの膨張中に、膨張可能ウェブの長手方向の縁部を通って流体が逃げるのを制限するために、ウェブが進行の経路に沿って進む際、シートを膨張可能ウェブの長手方向の縁部に沿って合わせて係合させるために、１つ以上の頂部係合ローラと、１つ以上の頂部係合ローラと対向する１つ以上の底部係合ローラと、を備えるシート係合装置
をさらに備え、
膨張ノズルが、ウェブがシート係合装置を過ぎて進む際、シート係合装置と、ウェブの膨張可能チャンバとの間に延在する、
請求項３８から４７のいずれか一項に記載のシステム。
【請求項４９】
頂部および底部係合ローラの少なくとも一方が、頂部および底部係合ローラの少なくとも一方を膨張可能ウェブに向かって付勢するためにばねを備える、請求項４８に記載のシステム。